(57)【要約】【課題】車両レイアウトを容易にしつつ、スライド窓の電気器具に常時給電できるようにする。【解決手段】車両のスライド窓は、車体に対してスライド可能に取り付けられた熱線（電気器具）付きのスライドパネル２３０と、スライドパネル２３０のスライド方向に延びつつ車体と一体化されたガイドレール３１０と、ガイドレール３１０にスライド可能に結合されるスライド部、及び、スライドパネル２３０に固定される固定部が一体化されたスライドブラケット３２０と、を有する。そして、ガイドレール３１０に沿って配設されたカールコード４００が、スライドパネル２３０の熱線に電力を給電する。【選択図】図４
2015030445.tif 000002
【特許請求の範囲】
【請求項１】
車体に対してスライド可能に取り付けられた電気器具付きのスライドパネルと、
前記スライドパネルのスライド方向に延びつつ、前記車体と一体化されたガイドレールと、
前記ガイドレールにスライド可能に結合されるスライド部、及び、前記スライドパネルに固定される固定部が一体化されたスライドブラケットと、
前記ガイドレールに沿って配設され、前記スライドパネルの前記電気器具に電力を給電する、一方向に伸縮可能な電源コードと、
を有することを特徴とする車両のスライド窓。
【請求項２】
前記スライドブラケットが、前記スライドパネルと平行な面において、前記ガイドレールの対向する２面を挟む、
ことを特徴とする請求項１に記載の車両のスライド窓。
【請求項３】
前記電源コードの一端部が、前記スライドブラケットに固定されると共に、
前記電源コードの他端部が、前記車体又はこれと一体化された部材に固定された、
ことを特徴とする請求項１又は請求項２に記載の車両のスライド窓。
【請求項４】
前記電源コードの一端部は、前記スライドブラケットに取り付けられた、前記電源コードを所定位置に保持するコード保持ブラケットを介して、前記スライドブラケットに固定された、
ことを特徴とする請求項３に記載の車両のスライド窓。
【請求項５】
前記ガイドレールに、前記電源コードの位置を保持する保持部材が一体化された、
ことを特徴とする請求項１〜請求項４のいずれか１つに記載の車両のスライド窓。
【請求項６】
前記保持部材は、前記電源コードが伸縮する方向に延びるパイプである、
ことを特徴とする請求項５に記載の車両のスライド窓。
【請求項７】
前記電気器具は、熱線である、
ことを特徴とする請求項１〜請求項６のいずれか１つに記載の車両のスライド窓。
【請求項８】
前記電源コードは、カールコードである、
ことを特徴とする請求項１〜請求項７のいずれか１つに記載の車両のスライド窓。
【請求項９】
前記スライドパネルが、電動でスライドする、
ことを特徴とする請求項１〜請求項８のいずれか１つに記載の車両のスライド窓。
【請求項１０】
前記スライドパネルが、車体の開口部に固定される窓枠部材に対してスライド可能に取り付けられた、
ことを特徴とする請求項１〜請求項９のいずれか１つに記載の車両のスライド窓。
【請求項１１】
前記ガイドレールに、トリムボードのクリップが嵌合する嵌合孔が形成された、
ことを特徴とする請求項１〜請求項１０のいずれか１つに記載の車両のスライド窓。
【請求項１２】
前記スライドパネルが、前記車体のキャビンのリヤウインドウに取り付けられた、
ことを特徴とする請求項１〜請求項１１のいずれか１つに記載の車両のスライド窓。
【請求項１３】
前記スライドパネルのスライド方向の全長に亘って取り付けられ、前記スライドブラケットの固定部を覆う第１のカバーと、
前記スライドパネルのスライド方向の少なくとも一方に配設された固定パネルに取り付けられ、前記固定パネルの熱線に電力を給電するためのコネクタを覆う第２のカバーと、
を更に有することを特徴とする請求項１２に記載の車両のスライド窓。
【請求項１４】
車体に対してスライド可能に取り付けられたスライドパネルのスライド方向に延びつつ、前記車体と一体化されたガイドレールと、
前記ガイドレールにスライド可能に結合されるスライド部、及び、前記スライドパネルに固定される固定部が一体化されたスライドブラケットと、
前記ガイドレールに沿って配設され、前記スライドパネルに電力を給電する、一方向に伸縮可能な電源コードと、
を有することを特徴とする給電装置。
【請求項１５】
前記電源コードの一端部が、前記スライドブラケットに取り付けられた、前記電源コードを所定位置に保持するコード保持ブラケットを介して、前記スライドブラケットに固定されると共に、
前記電源コードの他端部が、前記車体又はこれと一体化された部材に固定された、
ことを特徴とする請求項１４に記載の給電装置。
【発明の詳細な説明】
【技術分野】
【０００１】
本発明は、車両のスライド窓及び給電装置に関する。
【背景技術】
【０００２】
車両のリヤウインドウなどには、米国特許出願公開第２０１１／００３０２７６号明細書（特許文献１）に記載されるように、プリントされた熱線により曇りを取り除くデフロスター付きのスライド窓が取り付けられているものがある。かかるスライド窓においては、開閉状態にかかわらず熱線に給電可能とすべく、帯状のフレキシブルケーブルが使用されている。
【先行技術文献】
【特許文献】
【０００３】
【特許文献１】米国特許出願公開第２０１１／００３０２７６号明細書
【発明の概要】
【発明が解決しようとする課題】
【０００４】
しかしながら、フレキシブルケーブルは円弧状に屈曲するため、その固定機構及び保持機構などが必要となり、スライド窓の熱線などの電気器具に給電するための給電装置が複雑になり易い。給電装置が複雑になると、例えば、リヤパネルとトリムボードとの間に給電装置を内蔵させることが困難になるなど、車両レイアウトに技術的な困難性が伴ってしまう。
【０００５】
そこで、本発明は、車両レイアウトを容易にしつつ、スライド窓の電気器具に常時給電可能な、車両のスライド窓及び給電装置を提供することを目的とする。
【課題を解決するための手段】
【０００６】
車両のスライド窓は、車体に対してスライド可能に取り付けられた電気器具付きのスライドパネルと、スライドパネルのスライド方向に延びつつ、車体と一体化されたガイドレールと、ガイドレールにスライド可能に結合されるスライド部、及び、スライドパネルに固定される固定部が一体化されたスライドブラケットと、を有する。そして、ガイドレールに沿って配設された一方向に伸縮可能な電源コードが、スライドパネルの電気器具に電力を給電する。
【０００７】
給電装置は、車体に対してスライド可能に取り付けられたスライドパネルのスライド方向に延びつつ車体と一体化されたガイドレールと、ガイドレールにスライド可能に結合されるスライド部、及び、スライドパネルに固定される固定部が一体化されたスライドブラケットと、を有する。そして、ガイドレールに沿って配設された一方向に伸縮可能な電源コードが、スライドパネルに電力を給電する。
【発明の効果】
【０００８】
本発明によれば、車両レイアウトを容易にしつつ、スライド窓の電気器具に常時給電することができる。
【図面の簡単な説明】
【０００９】
【図１】スライド窓が適用される車両の一例を示す斜視図である。
【図２】リヤウインドウの詳細を示す斜視図である。
【図３】リヤウインドウの要部を示す縦断面図である。
【図４】電動スライド機構の取付構造の詳細を示す斜視図である。
【図５】電動スライド機構の詳細を示す斜視図である。
【図６】電動スライド機構の詳細を示す部分拡大図である。
【図７】コード保持ブラケットの詳細を示す斜視図である。
【図８】カールコードの固定方法の詳細を示す斜視図である。
【図９】リヤウインドウのスライドパネルが開いた状態を示す斜視図である。
【図１０】トリムボードの固定剛性を向上させる方法の説明図である。
【図１１】リヤウインドウの後方視界を確保する方法の説明図である。
【発明を実施するための形態】
【００１０】
以下、添付された図面を参照し、本発明を実施するための実施形態について詳述する。
図１は、スライド窓が適用される車両の一例を示す。
【００１１】
ピックアップトラック１００は、キャビン１１０（車体）の後方に開放式（無蓋）の荷台１２０を有する。キャビン１１０の後面で開口する開口部１１２には、スライド窓を備えたリヤウインドウ２００が取り付けられる。ここで、キャビン１１０の開口部１１２は、ピックアップトラック１００の車幅方向に沿って台形形状に開口している。なお、「台形形状」とは、完全な台形形状に限らず、見た目で台形形状であると認識できる程度でよい。また、キャビン１１０の開口部１１２は、台形形状に限らず、例えば、矩形形状など他の形状をなしていてもよい。
【００１２】
リヤウインドウ２００は、図２に示すように、キャビン１１０の開口部１１２に取り付けられる窓枠部材２１０を有する。窓枠部材２１０は、ピックアップトラック１００の車幅方向に延びる樹脂製の部材であって、例えば、接着剤などの締結具、又は、溝への嵌め込みなどにより、その周縁部がキャビン１１０の開口部１１２に固定される。
【００１３】
窓枠部材２１０には、スライド可能に取り付けられたスライドパネル２３０のスライド方向に延びるガイドレール３１０が一体化されている。ガイドレール３１０には、後述するように、ガイドレール３１０にスライド可能に結合されるスライド部、及び、スライドパネル２３０に固定される固定部が一体化されたスライドブラケット３２０が取り付けられている。そして、ガイドレール３１０に沿って配設された一方向に伸縮可能なカールコード４００が、スライドパネル２３０の電気器具に電力を給電する。即ち、車両レイアウトが容易であるカールコード４００によって、スライドパネル２３０の電気器具に常時給電できるようにする。
以下、このように構成されるスライド窓の詳細について説明を続ける。
【００１４】
窓枠部材２１０は、周縁部を除く中央部が開口された開口部２１２を有し、開口部２１２の長手方向の両端部、即ち、開口部２１２の左右両端部に固定パネル２２０が取り付けられる。固定パネル２２０は、例えば、透明若しくは半透明のガラス板や樹脂板又は金属板などからなり、窓枠部材２１０に対して、接着剤などの締結具、又は、溝への嵌め込みなどにより固定される。従って、窓枠部材２１０の開口部２１２の左右に配置された一対の固定パネル２２０の間には、キャビン１１０の内部と外部とを連通する開口が形成される。なお、固定パネル２２０は、窓枠部材２１０と一体成型するか一体化されるように構成してもよい。
【００１５】
窓枠部材２１０の車幅方向の中央上下には、図３に示すように、リヤウインドウ２００の開口を開閉するスライドパネル２３０の上端部及び下端部を車幅方向にスライド可能に支持する、例えば、横断面がチャンネル形状（Ｕ字形状、コ字形状）であって、上下一対のレール２４０が相対する面を開放して一体化されている。レール２４０は、例えば、アルミニウム合金などの金属からなり、窓枠部材２１０に対する取付位置精度を向上させるべく、窓枠部材２１０を一体成型するときに樹脂と一体化される。スライドパネル２３０は、例えば、透明若しくは半透明のガラス板や樹脂板又は金属板などからなる。なお、「チャンネル形状」とは、見た目でチャンネルの形状であると認識できる程度でよい。
【００１６】
固定パネル２２０及びスライドパネル２３０の内面、即ち、キャビン１１０の内部を向く面には、デフロスターとしての熱線２２２及び２３２が夫々プリントされている。熱線２２２及び２３２は、固定パネル２２０及びスライドパネル２３０を製造するときに一体化するようにしてもよい。固定パネル２２０の下部には、熱線２２２に電力を給電するためのコネクタ２２４が取り付けられている。固定パネル２２０のコネクタ２２４は、例えば、定電圧装置及びリレーを介して、ピックアップトラック１００に搭載されたバッテリ（図示せず）に接続されている。また、スライドパネル２３０の下部には、熱線２３２に電力を給電するための一対の端子２３４が形成されている。なお、熱線２２２及び２３２が、電気器具の一例として挙げられる。
【００１７】
窓枠部材２１０の下部内面の離間した２位置には、スライドパネル２３０を電動でスライドさせる電動スライド機構３００を固定するため、図４に示すように、左右一対の第１のブラケット２５０が夫々取り付けられている。左右一対の第１のブラケット２５０は、例えば、アルミニウム合金などの金属からなり、ハット形状の板部材２５２と、板部材２５２の先端から外方へと延びるピン部材２５４と、を有する。そして、第１のブラケット２５０の板部材２５２の基部が、例えば、接着剤などの締結具を介して、窓枠部材２１０の所定位置に固定される。ここで、「ハット形状」とは、完全なハット形状に限らず、見た目でハット形状であると認識できる程度でよい。なお、第１のブラケット２５０は、窓枠部材２１０を一体成型するときに樹脂と一体化するようにしてもよい。
【００１８】
また、スライドパネル２３０の下部内面には、図４に示すように、上下一対のレール２４０に対するスライドパネル２３０の相対位置を規制するための第２のブラケット２６０が取り付けられている。第２のブラケット２６０は、例えば、アルミニウム合金などの金属からなり、ハット形状が２つ連続する板部材２６２と、板部材２６２の先端から外方へと延びる２つのピン部材２６４と、を有する。そして、第２のブラケット２６０の板部材２６２の基部が、例えば、接着剤などの締結具を介して、スライドパネル２３０の所定位置に固定される。なお、第２のブラケット２６０は、スライドパネル２３０を製造するときに一体化するようにしてもよい。
【００１９】
第１のブラケット２５０を介して窓枠部材２１０に固定される電動スライド機構３００は、図５に示すように、スライドパネル２３０のスライド方向に延び、スライドパネル２３０をスライド方向にガイドするガイドレール３１０を有する。ガイドレール３１０は、アルミニウム合金などの金属からなり、その軸方向の全長に亘って、図３に示すように、その上部に円弧形状の上部スライド溝３１２が形成されていると共に、その下部にチャンネル形状（コ字形状）の下部スライド溝３１４が形成されている。ここで、「円弧形状」とは、完全な円弧形状に限らず、見た目で円弧形状であると認識できる程度でよい。また、ガイドレール３１０の上下方向の中央には、軽量化のための空洞３１６が形成されていると共に、第１のブラケット２５０のピン部材２５４を挿通するための挿通孔３１８が形成されている。
【００２０】
ガイドレール３１０の上部スライド溝３１２には、スライドブラケット３２０が上部スライド溝３１２に沿ってスライド可能に結合されている。スライドブラケット３２０は、図３に示すように、上部スライド溝３１２の円弧形状に倣った外形をなす筒状体のスライド部材３２２と、スライド部材３２２の上部後方から上方へと延びてスライドパネル２３０を固定するための第１の板部材３２４と、第２の板部材３２６と、ブロック３２８と、を有する。スライド部材３２２は、上部スライド溝３１２の軸方向の周りに所定角度だけ回転可能となっているため、ガイドレール３１０とスライドパネル２３０との取付位置精度の公差が吸収され、スライドパネル２３０をスムーズに開閉できるようになっている。スライド部材３２２が回転可能な所定角度は、上部スライド溝３１２の開口に第１の板部材３２４の板面が当接する範囲となる。第１の板部材３２４は、図６に示すように、側面視でＴ字形状をなし、その両側方へと延びる部位に、第２のブラケット２６０のピン部材２６４を挿通するための挿通孔３２４Ａが夫々形成されている。ここで、「Ｔ字形状」とは、完全なＴ字形状に限らず、見た目でＴ字形状であると認識できる程度でよい。また、スライド部材３２２は、ガイドレール３１０に対してスライドするため、例えば、摩擦係数が小さい樹脂からなる一方、第１の板部材３２４は、例えば、アルミニウム合金などの金属からなる。
【００２１】
スライドブラケット３２０の第２の板部材３２６は、側面視でＬ字形状をなし、第１の板部材３２４の背面に配設される。ここで、「Ｌ字形状」とは、完全なＬ字形状に限らず、見た目でＬ字形状であると認識できる程度でよい。第２の板部材３２６は、例えば、アルミニウム合金などの金属からなり、ガイドレール３１０の下部スライド溝３１４に対向しつつ後方へと延びた後、その後端から上方へと延びるＬ字形状をなしている。第２の板部材３２６は、図５に示すように、第１の板部材３２４と同様な側面視でＴ字形状をなす部分を有し、その両側方へと延びる部位に、第２のブラケット２６０のピン部材２６４を挿通するための挿通孔３２６Ａが夫々形成されている。なお、第２の板部材３２６の上下方向に延びる部位は、第１の板部材３２４の上下方向に延びる部位よりも狭くなっており、両者の間に段差ができている。この段差は、後述するコード保持ブラケット３３０を介して、スライドパネル２３０の熱線２３２に電力を供給する電源コードを通すための隙間として利用される。
【００２２】
ここで、スライドブラケット３２０のスライド部材３２２が、スライド部の一例として挙げられると共に、スライドブラケット３２０の第２の板部材３２６のうち第２のブラケット２６０に固定される部分が、固定部の一例として挙げられる。
【００２３】
スライドブラケット３２０の第２の板部材３２６のうち、ガイドレール３１０の下部スライド溝３１４に対向する部位には、図３に示すように、下部スライド溝３１４にスライド可能に嵌合する、例えば、樹脂製のブロック３２８が取り付けられている。従って、第２のブラケット２６０のピン部材２６４を、スライドブラケット３２０における第１の板部材３２４の挿通孔３２４Ａ及び第２の板部材３２６の挿通孔３２６Ａに挿通し、その先端にナットなどの締結具を螺合して一体化すると、スライドブラケット３２０の第１の板部材３２４と第２の板部材３２６とでガイドレール３１０を上下に挟むこととなる。このため、ガイドレール３１０の垂直面上におけるスライドブラケット３２０の移動が規制され、スライドブラケット３２０に連結されるスライドパネル２３０の位置精度を向上させることができる。
【００２４】
要するに、スライドパネル２３０と平行な面において、ガイドレール３１０の対向する２面がスライドブラケット３２０の第１の板部材３２４及び第２の板部材３２６により挟まれ、ガイドレール３１０の垂直面上におけるスライドブラケット３２０の移動が規制される。
【００２５】
また、スライドブラケット３２０の第２の板部材３２６の両側面のうち、ガイドレール３１０の反対側に位置する側面には、図３に示すように、電源コードを所定位置に保持する、コード保持ブラケット３３０が取り付けられている。コード保持ブラケット３３０は、例えば、プラスチックなどの樹脂、アルミニウム合金などの金属からなる。
【００２６】
コード保持ブラケット３３０は、図７及び図８に示すように、スライドブラケット３２０の第２の板部材３２６への取付部となる平板形状のベース部３３２と、ベース部３３２の下端部からガイドレール３１０の軸方向に沿って延びる、チャンネル形状の横断面をなす延出部３３４と、を有する。延出部３３４の先端部には、電源コードを固定するためのコード固定部３３６が形成されている。コード固定部３３６の上下方向の両側面のうち、延出部３３４を挟んでベース部３３２と反対側に位置する側面には、その外方へと向かって延びる、Ｃ字形状をなすＣ字ガイド部３３８が突設されている。即ち、Ｃ字ガイド部３３８は、ベース部３３２に一体的に保持されている。ここで、「Ｃ字形状」とは、見た目でＣ字形状であると認識できる程度でよい。また、延出部３３４の先端部の両側面のうち、Ｃ字ガイド部３３８が突設されている側面には、Ｃ字ガイド部３３８からベース部材３３２の方向に所定間隔隔てた位置において、その外方へと向かって突出する突状ガイド部３４０が一体的に形成されている。さらに、延出部３３４の基端部には、上方に向かって逆Ｌ字形状に延出する、チャンネル形状の横断面を有する延出部３４２が形成されている。
【００２７】
ガイドレール３１０に取り付けられたスライドブラケット３２０は、電動モータを内蔵した駆動ユニット３５０で摺動（往復走行）する一対のケーブル３６０に連動して、ガイドレール３１０に沿って移動する。ここで、駆動ユニット３５０は、電動モータの出力回転を減速する減速機を内蔵してもよい。また、ケーブル３６０は、筒状のアウターケーブルと、アウターケーブルの内部を摺動するインナーケーブルと、を有する。そして、スライドブラケット３２０のスライド部材３２２には、一対のケーブル３６０のインナーケーブルの先端が夫々連結されている。なお、駆動ユニット３５０は、ピックアップトラック１００のキャビン１１０の図示しないリヤパネルに取り付けられている。
【００２８】
ガイドレール３１０の両端には、ケーブル３６０のインナーケーブルの摺動方向を変向する機能を備えたジョイント３７０が夫々固定されている。ガイドレール３１０の一端に固定されたジョイント３７０には、スライドブラケット３２０を経由してスライドパネル２３０の熱線２３２に電力を給電するために、一方向に伸縮可能な、カールコード４００の螺旋部位の基端部が固定されている。カールコード４００の螺旋部位の基端部は、例えば、定電圧装置及びリレーが配設された電源ハーネスなどを介して、ピックアップトラック１００に搭載されたバッテリに接続されている。なお、カールコード４００が、一方向に伸縮可能な電源コードの一例として挙げられる。
【００２９】
カールコード４００は、図３に示すように、ガイドレール３１０の下方であって、キャビン１１０のリヤパネルを構成するインナーパネル１１４とトリムボード１１６とに挟まれた空間内に配設される。そして、カールコード４００の配設位置を規制するため、カールコード４００の螺旋部位の内部には、ガイドレール３１０に沿って延びる保持パイプ４１０が内挿されている。保持パイプ４１０の両端は、ガイドレール３１０の両端に固定されたジョイント３７０に夫々固定され、ガイドレール３１０と一体化されている。従って、カールコード４００は、ガイドレール３１０に沿って配設されることとなる。なお、保持パイプ４１０が、カールコード４００の位置を保持する保持部材の一例として挙げられる。ここで、保持部材としては、パイプ形状の保持パイプ４１０に限らず、スライドパネル２３０のスライドに伴って、カールコード４００の伸縮が阻害されないようにカールコード４００を保持する部材であれば、如何なる形状をなしていてもよい。
【００３０】
カールコード４００の螺旋部位より先の自由端部は、図８に示すように、スライドブラケット３２０と一体化されたコード保持ブラケット３３０の延出部３３４に沿って、第１の板部材３２４と第２の板部材３２６との段差位置まで導かれた後、コード保持ブラケット３３０の延出部３４２に沿って上方へと導かれる。ここで、カールコード４００の自由端部は、コード保持ブラケット３３０の延出部３３４及び３４２に収納可能なように、その外装材４２０が剥かれてリード線４３０のみとなっている。そして、カールコード４００の自由端部は、スライドパネル３２０の端子２３４に接続される。このとき、コード保持ブラケット３３０に対するカールコード４００の固定を確実ならしめるために、カールコード４００の螺旋部位の先端部（一端部）がコード保持ブラケット３３０のコード固定部３３６に結束バンドなどの固定具で固定されている。
【００３１】
ここで、カールコード４００の固定方法の詳細について説明する。
カールコード４００の螺旋部位の基端部は、図８に示すように、螺旋部位の基端部が引き延ばされた状態でジョイント３７０に跨っており、ジョイント３７０の外面に形成されたバンド挿通孔（図示せず）に挿通された結束バンド３４４を介して、ジョイント３７０に固定されている。即ち、カールコード４００の螺旋部位の基端部は、螺旋部位の弾性復元力によってジョイント３７０に圧着保持されている。このため、カールコード４００が伸縮しても、その伸縮により生じるねじれ方向の荷重変位が結束バンド３４４に到達する前に、ジョイント３７０を跨いでいる螺旋部位で吸収され、カールコード４００の螺旋部位の基端部における応力集中を緩和することができる。従って、カールコード４００の螺旋部位の基端部における、耐久性及び信頼性などを向上させることができる。なお、カールコード４００の螺旋部位の基端部は、結束バンド３４４に限らず、公知の固定具を介して、ジョイント３７０から片持ち状態で突出する係止突起に係止された固定具を介して、又は、直接的に、ジョイント３７０に固定されていてもよい。また、カールコード４００の螺旋部位の基端部は、ジョイント３７０に限らず、ピックアップトラック１００のキャビン１１０を構成するパネルなどに固定されていてもよい。
【００３２】
カールコード４００の螺旋部位の先端部は、コード保持ブラケット３３０のＣ字ガイド部３３８と突状ガイド部３４０との間に引き延ばされた状態で跨っており、コード固定部３３６に形成されたバンド挿通孔（図示せず）に挿通された結束バンド３４６を介して、コード保持ブラケット３３０に固定されている。即ち、カールコード４００の螺旋部位の先端部は、螺旋部位の弾性復元力によってコード保持ブラケット３３０に圧着保持されている。このため、カールコード４００の螺旋部位の基端部と同様に、耐久性及び信頼性などを向上させることができる。なお、カールコード４００の螺旋部位の先端部は、結束バンド３４６に限らず、公知の固定具を介して、コード保持ブラケット３３０から片持ち状態で突出する係止突起に係止された固定具を介して、又は、直接的に、コード保持ブラケット３３０に固定されていてもよい。また、カールコード４００の螺旋部位の先端部は、スライドブラケット３２０に直接固定されていてもよい。
【００３３】
コード保持ブラケット３３０のコード固定部３３６から先のカールコード４００は、外装材４２０が剥かれてリード線４３０が露出されている。リード線４３０は、コード保持ブラケット３３０の延出部３３４及び３４２に沿って配索されている。このため、コード保持ブラケット３３０の延出部３３４及び３４２には、リード線４３０の配索方向に沿って、リード線４３０を挟んで係合する、複数の係合突起３４８が形成されている。このようにすれば、例えば、ピックアップトラック１００の走行による振動がカールコード４００に伝達されても、外装材４２０が剥かれて露出したリード線４３０は、その周辺に配置されている部材に接触せず、耐久性などを向上させることができる。
【００３４】
このとき、カールコード４００の一部は、外装材４２０が剥かれてリード線４３０が露出しているため、スライドブラケット３２０の第１の板部材３２４と第２の板部材３２６との間の段差を利用して、狭い空間にカールコード４００を配索することができる。
【００３５】
従って、カールコード４００は、ガイドレール３１０に対するスライドブラケット３２０のスライドに追従して螺旋部位が伸縮する。このため、カールコード４００の螺旋部位は、少なくとも、スライドパネル２３０が全開となった全開位置と、スライドパネル２３０が全閉となった全閉位置と、の間で伸縮可能な長さを有していればよい。
【００３６】
次に、かかるスライド窓の開閉動作について説明する。
リヤウインドウ２００のスライドパネル２３０を開閉するために、例えば、ピックアップトラック１００の運転者がスイッチを操作すると、スイッチの操作状態に応じて駆動ユニット３５０が作動する。駆動ユニット３５０が作動すると、ケーブル３６０のアウターケーブルに内挿されたインナーケーブルが摺動し、ジョイント３７０によりインナーケーブルの摺動方向が変向されつつ、その駆動力がスライドブラケット３２０のスライド部材３２２へと伝達される。すると、ガイドレール３１０に対してスライドブラケット３２０がスライドし、例えば、図９に示すように、スライドブラケット３２０と一体化されているスライドパネル２３０が開く。
【００３７】
このとき、スライドブラケット３２０の第２の板部材３２６に取り付けられたブロック３２８は、その一部がガイドレール３１０の下部スライド溝３１４に嵌合されているため、ガイドレール３１０の垂直面上におけるスライドブラケット３２０の移動を規制する。このため、レール２４０に対するスライドパネル２３０の位置精度が向上し、スライドパネル２３０をスムーズに開閉することができる。
【００３８】
また、スライドパネル２３０の開閉に伴って、図４及び図９に示すように、スライドパネル２３０の熱線２３２に電力を給電するカールコード４００が伸縮するため、スライドパネル２３０の開閉状態にかかわらず、熱線２３２に電力を常時給電することができる。このため、スライドパネル２３０が開いているときにも、デフロスターを作動させてスライドパネル２３０の曇りを除去することが可能となり、後方視界を確保することができる。
【００３９】
カールコード４００が一方向に伸縮することから、スライドパネル２３０の熱線２３２に電力を給電する電源コードが占有するスペースが小さくなり、例えば、リヤパネルとトリムボードとの間に電源コードを内蔵させることができる。このため、車両レイアウトを容易にすることができる。
【００４０】
このとき、カールコード４００の螺旋部位の内部に保持パイプ４１０が内挿されているので、カールコード４００が伸縮しても、ガイドレール３１０に対するカールコード４００の配設位置を略一定に保つことができる。このため、カールコード４００が他の部材に接触することが抑制され、例えば、異音発生，接触による破損などを低減することができる。また、カールコード４００は、スライドブラケット３２０の移動に伴って伸縮されると共に、ガイドレール３１０と一体化されているため、カールコード４００を安定して伸縮させることができる。
【００４１】
スライドパネル２３０の熱線２３２に電力を給電する給電装置は、以上説明した各構成のうち、ガイドレール３１０，スライドブラケット３２０及びカールコード４００を夫々有する。しかし、給電装置は、より優れた機能を発揮するために、ガイドレール３１０，スライドブラケット３２０及びカールコード４００以外の他の構成も有することができる。
【００４２】
ところで、キャビン１１０のインテリアを構成するトリムボード１１６は、図３に示すように、ガイドレール３１０及びスライドブラケット３２０などのスライド機構が内部空間に存在することにより、ガイドレール３１０の下方に取り付けられたクリップによりリヤパネルに固定される。この場合、トリムボード１１６の上端近傍が固定されていないため、走行振動などによりトリムボード１１６が変形し、例えば、きしみ音などが発生し易い。
【００４３】
そこで、リヤパネルに対するトリムボード１１６の固定剛性を向上させるべく、図１０に示すように、ガイドレール３１０の側面にクリップ用の嵌合孔５００を複数（例えば４つ）形成すると共に、トリムボード１１６の内面に樹脂製のクリップ５１０を複数取り付け、クリップ５１０を嵌合孔５００に嵌合するとよい。このようにすれば、トリムボード１１６の上端近傍がクリップ５１０によりガイドレール３１０に固定されるため、トリムボード１１６の固定剛性を向上させることができる。そして、トリムボード１１６の固定剛性の向上により、走行振動などによるきしみ音を抑制することができる。
以下、トリムボード１１６の固定方法の詳細について説明する。
【００４４】
ガイドレール３１０の嵌合孔５００は、上部スライド溝３１２と下部スライド溝３１４との間において、キャビン１１０の内方を向く内側面とその外方を向く外側面との間を貫通するように形成されている。従って、嵌合孔５００は、ガイドレール３１０の空洞３１６を貫通している。このため、ガイドレール３１０の空洞３１６は、後述するクリップ５１０の規制部５４０を収容する凹部として機能する。なお、ガイドレール３１０の嵌合孔５００は、上部スライド溝３１２及び下部スライド溝３１４の剛性を低下させない位置及び寸法に形成される。
【００４５】
クリップ５１０の先端部には、クリップ５１０がガイドレール３１０の嵌合孔５００から抜ける方向への移動を規制すべく、例えば、クリップ５１０の周壁から外方へと膨出する円環形状の規制部５４０が一体化されている。従って、クリップ５１０がガイドレール３１０の嵌合孔５００に挿入されて嵌合した状態では、クリップ５１０の規制部５４０が空洞３１６に収容され、ガイドレール３１０に対してトリムボード１１６が固定される。そして、例えば、車両振動などによりクリップ５１０が嵌合孔５００から抜ける方向の外力が作用した場合には、規制部５４０の一部が空洞３１６を区画するガイドレール３１０の内面と接触するため、クリップ５１０の抜けが抑制される。
【００４６】
ガイドレール３１０の両端に固定されるジョイント３７０は、ガイドレール３１０にトリムボード１１６を固定する際に、トリムボード１１６の内面に形成されたガイド部（図示せず）と接触して、トリムボード１１６の取付位置を規制する機能を持つことも可能である。具体的には、キャビン１１０の側方を向くジョイント３７０の側面には、図６に示すように、ガイドレール３１０にトリムボード１１６を固定したとき、トリムボード１１６の内面に形成されたガイド部と接触する接触面３７２が形成されている。接触面３７２は、ここに接触するトリムボード１１６の内面に倣った形状、例えば、傾斜面などとすることができる。また、接触面３７２には、トリムボード１１６との相対変位を規制するために、例えば、凹凸などを形成することもできる。
【００４７】
従って、ガイドレール３１０にトリムボード１１６を固定する際に、トリムボード１１６の内面がジョイント３７０の接触面３７２に接触して、トリムボード１１６を取付位置へと案内する。このため、クリップ５１０の位置が、適切な取付位置となるように規制される。そして、トリムボード１１６が適切な位置に取り付けられるため、例えば、きしみ音などの発生を効果的に抑制することができる。また、インナーパネル１１４とトリムボード１１６との相対位置が保持されるため、スライドパネル２３０をスライドさせるスライド機構を収容する空間を安定して確保することができる。
【００４８】
リヤウインドウ２００のスライドパネル２３０の下部には、第２のブラケット２６０及びスライドブラケット３２０などが取り付けられているため、その見栄えが低下してしまう。このため、ピックアップトラック１００のインテリアの見栄えを確保すべく、スライドパネル２３０の下部をトリムボードなどのカバーで覆うとよい。
【００４９】
リヤウインドウ２００の長手方向の全長に亘ってカバーを取り付けると、固定パネル２２０の下部もカバーが覆い、後方視界の一部が隠れてしまう。そこで、図１１に示すように、スライドパネル２３０の下部に、スライドパネル２３０のスライド方向の全長に亘って延びる第１のカバー５２０を取り付ける一方、固定パネル２２０の下部に、コネクタ２２４のみを覆う第２のカバー５３０を取り付けることで、後方視界を確保することができる。ここで、図１１に示す実施形態において、図中の右方に位置する固定パネル２２０は、第２のカバー５３０が取り付けられていない状態を示しているが、実際には第２のカバー５３０が取り付けられている。なお、キャビン１１０のトリムボードにより固定パネル２２０のコネクタ２２４が覆われる場合には、その固定パネル２２０に第２のカバー５３０を取り付けなくてもよい。
【００５０】
以上の実施形態に関し、スライドパネル２３０の熱線２３２に電力を給電するために、カールコード４００に代えて、一方向に伸縮可能な公知の各種電源コードを使用することもできる。
【００５１】
本実施形態に係るスライド窓は、電動で開閉する構成に限らず、手動で開閉する構成であってもよい。この場合、図２に示すリヤウインドウ２００において、駆動ユニット３５０及びケーブル３６０が不要となる。なお、スライドパネル２３０が電動で開閉しない点を除き、他の作用及び効果は前述した実施形態と同様であるので、重複説明を排除するために、その説明は省略する。
【００５２】
また、本実施形態に係るスライド窓は、図２に示すリヤウインドウ２００のように、２つの固定パネル２２０と１つのスライドパネル２３０を有するものに限らず、スライドパネル２３０のスライド方向の少なくとも一方に固定パネル２２０が取り付けられたものにも適用可能である。
【００５３】
本実施形態に係るスライド窓は、ピックアップトラック１００のリヤウインドウ２００に限らず、各種車両の前後方向に延びるサイドウインドウ，各種車両のルーフを開閉するサンルーフなどにも適用可能である。また、本実施形態に係るスライド窓は、左右（横）方向に開閉する構成に限らず、上下方向に開閉する構成であってもよい。
【００５４】
本実施形態に係るスライド窓は、窓枠部材２１０を介在させずに、車体に直接取り付けるようにしてもよい。この場合には、例えば、ピックアップトラック１００のキャビン１１０に一対のレール２４０を取り付け、ここにスライドパネル２３０をスライド可能に嵌合すればよい。
【００５５】
なお、本実施形態の各構成は、その目的に応じて個別に実施することもできる。
【符号の説明】
【００５６】
１１０  キャビン
１１２  開口部
１１６  トリムボード
２００  リヤウインドウ
２１０  窓枠部材
２２０  固定パネル
２２２  熱線
２２４  コネクタ
２３０  スライドパネル
２３２  熱線
３００  電動スライド機構
３１０  ガイドレール
３２０  スライドブラケット
３２２  スライド部材
３２４  第１の板部材
３２６  第２の板部材
３２８  ブロック
３３０  コード保持ブラケット
３５０  駆動ユニット
３６０  ケーブル
４００  カールコード
４１０  保持パイプ
５００  嵌合孔
５１０  クリップ
５２０  第１のカバー
５３０  第２のカバー
【図１】
2015030445.tif 000003
【図２】
2015030445.tif 000004
【図３】
2015030445.tif 000005
【図４】
2015030445.tif 000006
【図５】
2015030445.tif 000007
【図６】
2015030445.tif 000008
【図７】
2015030445.tif 000009
【図８】
2015030445.tif 000010
【図９】
2015030445.tif 000011
【図１０】
2015030445.tif 000012
【図１１】
2015030445.tif 000013